(57)【特許請求の範囲】
【請求項１】
a)  ポリアミン類とシアナミド類及びアミド硫酸を反応させる、
ことによって得られる色移り防止性染料固定剤を含む、ランドリー洗剤。
【請求項２】
陰イオン性界面活性剤、非イオン性界面活性剤及び無機または有機系のビルダーを含む、請求項１のランドリー洗剤。
【請求項３】
色移り防止剤を含む、請求項１のランドリー洗剤。
【請求項４】
陽イオン性界面活性剤を含む、請求項１のランドリー洗剤。
【請求項５】
ソイルリリース性ポリマーを含む、請求項１のランドリー洗剤。
【請求項６】
セルラーゼを含む、請求項１のランドリー洗剤。
【請求項７】
漂白剤を含む、請求項１のランドリー洗剤。
【発明の詳細な説明】
本発明は、色移り防止性染料固定剤(dye-transfer-inhibiting dye fixatives) を含むランドリー洗剤及びランドリー処理用組成物であって、この染料固定剤が、
a)  ポリアミン類をシアナミド類及びアミド硫酸と反応させるか、または
b)  シアナミド類をアルデヒド類及びアンモニウム塩類と反応させるか、またはc)  アミン類をエピクロロヒドリンと反応させる、
ことによって得られる上記ランドリー洗剤及びランドリー処理用組成物に関する。
【０００１】
使用されるアミン類は、第一、第二及び第三アミン類であることができる。またこれらは、脂肪族アミン類、例えばシクロヘキシルアミン等の脂環式アミン類、及び例えばアニリン等の芳香族アミン類であることができる。しかし、使用されるアミン類は、これと同時に脂肪族、脂環式及び芳香族置換基を有することもできる。加えて、例えばピリジン等の複素環式化合物を使用することもできる。ここでポリアミン類という用語は、例えば、ジアミン類、トリアミン類、テトラミン類などを包含する。
【０００２】
これの例は、エチレンジアミン、プロピレンジアミン、ブチレンジアミン、ペンチレンジアミン、ヘキシレンジアミン、ジエチレントリアミン、トリエチレンテトラミン及びより高級のポリアミン類である。特に好ましいものは、ジエチレントリアミンである。アンモニウム塩は、アンモニアあるいは上記のアミン類及びポリアミン類と種々の無機もしくは有機酸との塩、または第四アンモニウム塩であることができる。
【０００３】
シアナミド類は、シアナミドまたはジシアノジアミドであることができる。該色移り防止性染料固定剤の合成に使用できるアルデヒド類の例は、例えばホルムアルデヒド、アセトアルデヒド、プロピオンアルデヒド、ブチルアルデヒド等の脂肪族アルデヒド類；  例えばグリオキサール等のジアルデヒド類；  例えばアクロレイン、クロトンアルデヒド等の不飽和アルデヒド類；  及び例えばベンズアルデヒド等の芳香族アルデヒド類である。特に好ましいものは、脂肪族アルデヒド類である。
【０００４】
該染料固定剤は、繊維染料のブリードを低減させることによってその洗濯堅牢性を高めるために、本発明ランドリー洗剤に加えられる。
【０００５】
これと同時に該染料固定剤は、染色された繊維製品の洗濯堅牢性が非常に低い場合には、洗浄液中のブリードした染料の残量を結合することで、一緒に洗濯されている白物布または別の色の布にそれが付着するのを防ぐことによって色移り防止作用をも有する。
【０００６】
上記の色移り防止性染料固定剤を使用することができるランドリー洗剤調合物は、粉末、顆粒、ペースト、ゲル様または液体のものである。これの例は、重質洗剤、軽質洗剤、色物用洗剤(dye detergents)、ウール用洗剤、カーテン(drape) 用洗剤、モジュラー洗剤、タブレット洗剤、固形石鹸(bar soap)、水溶性のフィルムに包装した洗剤調合物、及びしみ抜き剤(stain-removal salts) である。
【０００７】
ランドリー処理用組成物は、例えば、ランドリースターチ及び糊料(stiffening agents) 、並びにアイロン助剤である。
【０００８】
加えて、上記色移り防止性染料固定剤は、洗濯物の清浄に寄与するのではなく、洗濯物のケア及び状態調整にのみ寄与しそして実際の洗浄作業の前または後に使用することができるランドリー前処理用組成物及びランドリー後処理用組成物にも使用できる。
【０００９】
本発明のランドリー洗剤は、上記の色移り防止性染料固定剤を少なくとも0.1 重量％、好ましくは0.1 〜10重量％、特に好ましくは0.5 〜５重量％の割合で含む。
【００１０】
ランドリー前処理及び／または後処理用組成物として使用される調合物は、該染料固定剤を１〜99重量％の割合で含み得る。
【００１１】
意図される用途に依存して、これらの調合物の組成は、洗浄する繊維製品の種類に適合される。
【００１２】
これらは、従来技術で慣用のランドリー洗剤組成物及び清浄剤組成物用の構成分を含む。このようなランドリー洗剤組成物及び清浄剤組成物用構成分の典型的な例を以下に挙げる。
【００１３】
完成品のランドリー洗剤調合物中での界面活性剤の全濃度は、１〜99重量％、好ましくは５〜80重量％であることができる。使用される界面活性剤は、陰イオン性、非イオン性、両性(amphoteric)及び陽イオン性であることができる。また、これらの界面活性剤の混合物を使用することもできる。好ましいランドリー洗剤調合物は、陰イオン性及び／または非イオン性界面活性剤、またはこれらと他の界面活性剤との混合物を含む。
【００１４】
適当な陰イオン性界面活性剤は、硫酸塩、スルホン酸塩、カルボン酸塩、リン酸塩及びこれらの混合物である。この際、好適なカチオンは、アルカリ金属、例えばナトリウムまたはカリウム、あるいはアルカリ土類金属、例えばカルシウムまたはマグネシウム、並びにアンモニウム、置換されたアンモニウム化合物、例えばモノ- 、ジ- またはトリエタノールアンモニウムカチオン、及びこれらの混合物である。次ぎのタイプの陰イオン性界面活性剤が特に好ましい。すなわち、以下に述べるようなアルキルエステルスルホネート、アルキルスルフェート、アルキルエーテルスルフェート、アルキルベンゼンスルホネート、アルカンスルホネート及び石鹸である。
【００１５】
アルキルエステルスルホネートは、中でも、“The Journal of the American Oil Chemists Society”52 (1975), pp. 323-329に記載されるような、ガス状SO3 でスルホン化されたC8-C20- カルボン酸（すなわち脂肪酸）の線状エステルである。適当な原料は、天然の脂肪、例えば獣脂、ヤシ油及びパーム油であるが、合成のものでもよい。
【００１６】
特にランドリー洗剤の用途に好ましいアルキルエステルスルホネートは、以下の式
【００１７】
【化１】
0004315634.tif 000002
【００１８】
[ 式中、R1はC8-C20- 炭化水素残基、好ましくはアルキルであり、そしてR はC1-C6-炭化水素残基、好ましくはアルキルである]
で表される化合物である。Ｍは、アルキルエステルスルホネートと水溶性の塩を形成するカチオンである。適当なカチオンは、ナトリウム、カリウム、リチウムまたはアンモニウムカチオン、例えばモノエタノールアミン、ジエタノールアミン及びトリエタノールアミンである。好ましくは、R1はC10-C16-アルキルであり、そしてR はメチル、エチルまたはイソプロピルである。特に好ましいものは、R1がC10-C16-アルキルであるメチルエステルスルホネートである。
【００１９】
ここでアルキルスルフェートは、式ROSO3Mで表される水溶性塩または酸であり、式中、R はC10-C24-炭化水素残基、好ましくはC10-C20-アルキル成分を有するアルキルまたはヒドロキシアルキル基、特に好ましくはC12-C18-アルキルまたはヒドロキシアルキル基である。Ｍは、水素またはカチオン、例えばアルカリ金属カチオン（例えば、ナトリウム、カリウム、リチウム）またはアンモニウムもしくは置換されたアンモニウム、例えばメチル- 、ジメチル- 及びトリメチルアンモニウムカチオン並びに第四アンモニウムカチオン、例えばテトラメチルアンモニウム及びジメチルピペリジニウムカチオン、並びにエチルアミン、ジエチルアミン、トリエチルアミンもしくはこれらの混合物などのアルキルアミン類から誘導される第四アンモニウムカチオンである。炭素原子数が12〜16のアルキル鎖は、洗浄温度が低い場合（例えば約50℃以下）に好ましく、そして炭素原子数が16〜18のアルキル鎖は、洗浄温度が高い場合（例えば約50℃以上）に好ましい。
【００２０】
アルキルエーテルスルフェートは、式RO(A) m SO3Mで表される水溶性塩または酸であり、式中、R は、置換されていないC10-C24-アルキルまたはヒドロキシアルキル基、好ましくはC12-C20-アルキルまたはヒドロキシアルキル基、特に好ましくはC12-C18-アルキルまたはヒドロキシアルキル基である。Ａは、エトキシまたはプロポキシ単位であり、ｍは０より大きい数、好ましくは約0.5 〜約６の数、特に好ましくは約0.5 〜約３の数であり、そしてＭは、水素原子またはカチオン、例えばナトリウム、カリウム、リチウム、カルシウム、マグネシウム、アンモニウムまたは置換されたアンモニウムカチオンである。置換されたアンモニウムカチオンの具体的な例は、メチル- 、ジメチル- 、トリメチルアンモニウム及び第四アンモニウムカチオン、例えばテトラメチルアンモニウム及びジメチルピペリジニウムカチオン、並びにエチルアミン、ジエチルアミン、トリエチルアミンまたはこれらの混合物などのアルキルアミン類から誘導される第四アンモニウムカチオンである。挙げ得る例は、EOの含有量が１モル当たり１、２、2.5 、３または４モルで、ＭがナトリウムまたはカリウムであるC12-C18-脂肪アルコールエーテルスルフェートである。
【００２１】
第二アルカンスルホネートにおいては、そのアルキル基は、飽和もしくは不飽和で分枝状もしくは線状のものであることができ、また更に場合によってはヒドロキシル基で置換されていてもよい。スルホ基は、炭素鎖上でいかなる所望の位置にでも存在することができるが、但しこの際、炭素鎖の最初と最後にある第一メチル基はスルホネート基を持たない。好ましい第二アルカンスルホネートは、約９〜25個の炭素原子、好ましくは約10〜約20個の炭素原子、特に好ましくは約13〜17個の炭素原子を有する線状アルキル鎖を含む。カチオンは、例えば、ナトリウム、カリウム、アンモニウム、モノ- 、ジ- またはトリエタノールアンモニウム、カルシウムまたはマグネシウム、及びこれらの混合である。ナトリウムがカチオンとして好ましい。
【００２２】
第二アルカンスルホネートの他、本発明のランドリー洗剤には第一アルカンスルホネートを使用することもできる。
【００２３】
好ましいアルキル鎖及びカチオンは、第二アルカンスルホネートについて挙げたものと同様である。
【００２４】
界面活性剤として有効な対応するスルホネートを与える第一アルカンスルホン酸の製造方法は、例えば、ヨーロッパ特許出願公開第854 136 号(A1)に記載されている。
【００２５】
更に別の適当な陰イオン性界面活性剤は、アルケニル- 及びアルキルベンゼンスルホネートである。そのアルケニルまたはアルキル基は分枝状または線状であることができ、そして場合によってはヒドロキシル基によって置換されていてもよい。好ましいアルキルベンゼンスルホネートは、約９〜25個の炭素原子、好ましくは約10〜約13個の炭素原子を有する線状アルキル鎖を含み、そしてそのカチオンは、ナトリウム、カリウム、アンモニウム、モノ- 、ジ- またはトリエタノールアンモニウム、カルシウムまたはマグネシウム、及びこれらの混合である。穏和な界面活性剤系には、マグネシウムがカチオンとして好ましく、一方、標準的な洗剤の用途にはナトリウムが好ましい。これと同じことが、アルケニルベンゼンスルホネートの場合にも当てはまる。
【００２６】
陰イオン性界面活性剤という用語には、C8-C24- 、好ましくはC14-C16-α- オレフィンを三酸化硫黄でスルホン化し、次いで中和することによって得られるオレフィンスルホネートも包含される。この製造方法の結果、これらのオレフィンスルホネートは、比較的少量のヒドロキシアルカンスルホネート及びアルカンジスルホネートを含み得る。α- オレフィンスルホネートの具体的な混合物は米国特許第3,332,880 号に記載されている。
【００２７】
更に別の好ましい陰イオン性界面活性剤は、カルボン酸塩、例えば脂肪酸石鹸及びこれと類似の界面活性剤である。石鹸は飽和もしくは不飽和のものであることができ、そして様々な置換基、例えばヒドロキシル基またはα- スルホネート基を含むことができる。好ましいものは、疎水性部分として約６〜約30個、好ましくは約10〜約18個の炭素原子を有する線状の飽和または不飽和炭化水素基である。
【００２８】
また、アシルアミノカルボン酸の塩；  アルカリ性媒体中で脂肪酸塩化物をサルコシン酸ナトリウムと反応させることによって生成されるアシルサルコシネート；  脂肪酸塩化物をオリゴペプチドと反応させることによって得られる脂肪酸- タンパク質縮合生成物；  アルキルスルファミドカルボン酸の塩；  アルキル- 及びアルキルアリールエーテルカルボン酸の塩；  例えば英国特許出願公開第1,082,179 号に記載されるような、アルカリ土類金属クエン酸塩の熱分解生成物をスルホン化することによって製造されるスルホン化されたポリカルボン酸；  アルキル- 及びアルケニルグリセロールスルフェート、例えばオレイルグリセロールスルフェート、アルキルフェノールエーテルスルフェート、アルキルホスフェート、アルキルエーテルホスフェート、イセチオネート類、例えばアシルイセチオネート類、N-アシルタウリド類、アルキルスクシネート、スルホスクシネート類、スルホスクシネート類のモノエステル（特に、飽和及び不飽和C12-C18-モノエステル）及びスルホスクシネート類のジエステル（特に、飽和及び不飽和C12-C18-ジエステル）、アシルサルコシネート類、アルキルポリサッカライドのスルフェート、例えばアルキルポリグリコシドのスルフェート、分枝状第一アルキルスルフェート及びアルキルポリエトキシカルボキシレート、例えば式RO(CH2CH2)k CH2COO- M + （式中、R はC8-C22- アルキルであり、ｋは０〜10の数であり、そしてＭはカチオンである）で表されるものも好適な陰イオン性界面活性剤である。
【００２９】
更に別の例は、“Surface Active Agents and Detergents”(Vol.I及びII、Schwartz, Perry 及びBerch)に記載されている。
【００３０】
適当な非イオン性界面活性剤の例は以下の化合物である。
・脂肪族アルコールとエチレンオキシド約１〜約25モルとの縮合生成物
脂肪族アルコールのアルキル鎖は、線状または分枝状で、第一または第二の性状であることができ、そして一般的に約８〜約22個の炭素原子を含む。特に好ましいものは、C10-C20-アルコールと、アルコール１モル当たり約２モル〜約18モルのエチレンオキシドとの縮合生成物である。そのアルキル鎖は、飽和または不飽和であることができる。このアルコールエトキシレートは、エチレンオキシドの狭い同族体分布[ 狭範エトキシレート(narrow range ethoxylates)] またはエチレンオキシドの広い同族体分布[ 広範エトキシレート(broad range ethoxylates)]を有することができる。商業的に入手可能なこれらの種の非イオン性界面活性剤の例は、Tergitol( テルギトール) (R) 15-S-9（線状第二C11-C15-アルコールとエチレンオキシド９モルとの縮合生成物）、Tergitol(R) 24-L-NMW（分子量分布が狭い場合の線状第一C12-C14-アルコールとエチレンオキシド６モルとの縮合生成物）である。この部類の製品には、クラリアントGmbHのGenapol(ゲナポール) (R) グレード品も包含される。
・プロピレンオキシドとプロピレングリコールとの縮合によって生成される疎水性基本部とエチレンオキシドとの縮合生成物
これらの化合物の疎水性部分は、好ましくは、約1500〜約1800の分子量を有する。この疎水性部分へのエチレンオキシドの付加は水溶性の向上を導く。この化合物は、その全重量に対しポリオキシエチレンの含有量が約50％までは液状であり、これは、約40モルまでのエチレンオキシドと縮合することに相当する。この部類の化合物の商業的に入手が可能なものの例は、BASF社のPluronic（プルロニック）(R) グレード品及びクラリアントGmbHの(R) Genapol(ゲナポール)PF グレード品である。
・プロピレンオキシドとエチレンジアミンとの反応生成物とエチレンオキシドとの縮合生成物
これらの化合物の疎水性部分は、エチレンジアミンと過剰のプロピレンオキシドとの反応生成物から構成され、そして一般的に約2500〜3000の分子量を有する。この疎水性部分に対し、ポリオキシエチレンの重量の約40〜約80重量％の含有量及び約5000〜11000 の分子量までエチレンオキシドが付加される。この部類の化合物の商業的に入手が可能なものの例は、BASF社の(R) Tetronic（テトロニック）グレード品及びクラリアントGmbHの(R) Genapol PNグレード品である。
半極性非イオン性界面活性剤
このカテゴリーの非イオン性化合物には、それぞれ炭素原子数が約10〜約18個のアルキル基を有する、水溶性アミンオキシド類、水溶性ホスフィンオキシド類及び水溶性スルホキシド類が包含される。以下の式で表されるアミンオキシド類も半極性非イオン性界面活性剤である。
【００３１】
【化２】
0004315634.tif 000003
【００３２】
式中、R は、約８〜約22個の炭素原子の鎖長を有するアルキル、ヒドロキシアルキルまたはアルキルフェノール基であり、R2は、約２〜３個の炭素原子を有するアルキレンもしくはヒドロキシルアルキレン基またはこれらの混合であり、各々の基R1は、約１〜約３個の炭素原子を有するアルキルまたはヒドロキシアルキル基であるか、あるいは約１〜約３個のエチレンオキシド単位を有するポリエチレンオキシド基であり、そしてｘは０〜約10の数である。各基R1は、酸素または窒素原子を介して互いに結合して環を形成していてもよい。この種のアミンオキシド類は、特に、C10-C18-アルキルジメチルアミンオキシド及びC8-C12- アルコキシエチルジヒドロキシエチルアミンオキシドである。
脂肪酸アミド
脂肪酸アミドは以下の式を有する。
【００３３】
【化３】
0004315634.tif 000004
【００３４】
式中、R は、約７〜約21個、好ましくは約９〜約17個の炭素原子を有するアルキル基であり、そしてそれぞれの基R1は、水素、C1-C4-アルキル、C1-C4-ヒドロキシアルキルまたは(C2H4O) x H であり、ここでｘは約１〜約３である。好ましいものは、C8-C20- アミド、C8-C20- モノエタノールアミド、C8-C20- ジエタノールアミド及びC8-C20- イソプロパノールアミドである。
【００３５】
更に別の好適な非イオン性界面活性剤は、アルキル及びアルケニルオリゴグリコシド、及び脂肪アルキル基中に８〜20個、好ましくは12〜18個の炭素原子を有する脂肪酸ポリグリコールエステルもしくは脂肪アミンポリグリコールエステル、アルコキシル化されたトリグリカミド、混合エーテルもしくは混合ホルマール、アルキルオリゴグリコシド、アルケニルオリゴグリコシド、脂肪酸N-アルキルグルカミド、ホスフィンオキシド類、ジアルキルスルホキシド及びタンパク質加水分解物である。
アルキルフェノールのポリエチレン、ポリプロピレン及びポリブチレンオキシド縮合物
これらの化合物には、線状または分枝状のいずれかであることができるC6-C20- アルキル基を有するアルキルフェノールとアルケンオキシドとの縮合生成物が包含される。好ましいものは、アルキルフェノール１モル当たり約５〜25モルのアルケンオキシドを有する化合物である。商業的に入手可能なこの種の界面活性剤は、例えば、Igepal( アイゲパル) (R) CO-630、Triton( トリトン) (R) X-45、X-114 、X-100 及びX-102 、及びクラリアントGmbHの(R) Arkopal(アルコパル)-N グレード品である。これらの界面活性剤は、アルキルフェノールアルコキシレート、例えばアルキルフェノールエトキシレートと称される。
【００３６】
両性(amphoteric)または両性イオン性(zwitterionic)界面活性剤の典型例は、以下の式で表されるアルキルベタイン類、アルキルアミドベタイン類、アミノプロピオネート類、アミノグリシネート類または両性イミダゾリニウム化合物である。
【００３７】
【化４】
0004315634.tif 000005
【００３８】
式中、R1は、C8-C22- アルキルまたは- アルケニルであり、R2は水素またはCH2CO2M であり、R3は、CH2CH2OHまたはCH2CH2OCH2CH2CO2M であり、R4は水素、CH2CH2OHまたはCH2CH2COOMであり、Z は、CO2MまたはCH2CO2M であり、ｎは２または３、好ましくは２であり、M は、水素またはカチオン、例えばアルカリ金属、アルカリ土類金属、アンモニウムまたはアルカノールアンモニウムである。
【００３９】
この式の好ましい両性界面活性剤は、モノカルボキシレート及びジカルボキシレートである。これの例は、ココアンフォ(cocoampho) カルボキシプロピオネート、ココアミドカルボキシプロピオン酸、ココアンフォカルボキシグリシネート（ココアンフォジアセテートとも称される）及びココアンフォアセテートである。
【００４０】
更に別の好ましい両性界面活性剤は、線状かまたは分枝状であることができる約８〜約22個の炭素原子を有するアルキル基、好ましくは８〜18個の炭素原子、特に好ましくは約12〜約18個の炭素原子を有するアルキル基を持つアルキルジメチルベタイン及びアルキルジポリエトキシベタインである。これらの化合物は、例えば、(R) Genagen(ゲナーゲン) LAB の商品名でクラリアントGmbHから販売されている。
【００４１】
適当な陽イオン性界面活性剤は、R1N(CH3)3 + X - 、R1R2N(CH3)2 + X - 、R1R2R3N(CH3)+ X - またはR1R2R3R4N + X - のタイプの置換されたもしくは置換されていない直鎖状または分枝状第四アンモニウム塩である。基R1、R2、R3及びR4は、互いに独立して、８〜24個の炭素原子、特に10〜18個の炭素原子の鎖長を有する置換されていないアルキル基、約１〜約４個の炭素原子を有するヒドロキシアルキル、フェニル、C2-C18- アルケニル、C7-C24- アラルキル、(C2H4O) x H （x は約１〜約３である）、一つまたはそれ以上のエステル基を含むアルキル基、または環状第四アンモニウム塩であることができる。X は、適当なアニオンである。
【００４２】
本発明において存在し得る更に別のランドリー洗剤構成分には、水の硬度を低下させるための無機及び／または有機系ビルダーが包含される。
【００４３】
これらのビルダーは、該ランドリー洗剤組成物及び清浄剤組成物中に約５重量％〜約80重量％の割合で存在することができる。無機ビルダーには、例えば、以下のもののアルカリ金属塩、アンモニウム塩及びアルカノールアンモニウム塩、すなわちポリリン酸塩、例えばトリポリリン酸塩、ピロリン酸塩及びガラス様ポリマー性メタリン酸塩、ホスホン酸塩、ケイ酸塩、重炭酸塩及びセスキ炭酸塩を含む炭酸塩、硫酸塩及びアルモケイ酸塩が包含される。
【００４４】
ケイ酸塩ビルターの例は、アルカリ金属ケイ酸塩、特に1.6:1 〜3.2:1 のSiO2:Na2O 比を有するもの、及びフィロケイ酸塩、例えば、クラリアントGmbHからSKS (R) の商品名で入手することができる米国特許第4,664,839 号に記載されるようなフィロケイ酸ナトリウムである。SKS-6 (R) が特に好ましいフィロケイ酸塩ビルダーである。
【００４５】
アルモケイ酸塩ビルダーは、本発明にとって特に好ましい。これらは、特に、式Naz [(AlO2) z (SiO2)y ] ・xH2O（式中、ｚ及びｙは、少なくとも６の整数であり、ｙに対するｚの比率は1.0 〜約0.5 であり、そしてｘは約15〜約264 の整数である）を有するゼオライトである。
【００４６】
アルモケイ酸塩に基づく好適なイオン交換体は商業的に入手が可能である。これらのアルモケイ酸塩は結晶性のまたは非結晶性の構造を持つことができ、そして天然に存在し得るかまたは合成して製造することもできる。アルモケイ酸塩に基づくイオン交換体の製造方法は、米国特許第3,985,669 号及び米国特許第4,605,509 号に記載されている。合成の結晶性アルモケイ酸塩に基づく好ましいイオン交換体は、ゼオライトＡ、ゼオライトＰ（Ｂ）（ヨーロッパ特許出願公開第0 384 070 号に記載のものも含む）及びゼオライトＸの名称で入手できる。好ましいものは、0.1 〜10μm の粒径を有するアルモケイ酸塩である。
【００４７】
適当な有機系ビルダーには、ポリカルボキシル化合物、例えばエーテルポリカルボキシレート及びオキシジスクシネート、例えば米国特許第3,128,287 号及び米国特許第3,635,830 号に記載のこれらのものが包含される。米国特許第4,663,071 号から公知の“TMS/TDS ”ビルダーも考慮される。
【００４８】
他の好適なビルダーには、エーテルヒドロキシポリカルボキシレート、無水マレイン酸とエチレンもしくはビニルメチルエーテルとのコポリマー、1,3,5-トリヒドロキシベンゼン-2,4,6- トリスルホン酸及びカルボキシメチルオキシコハク酸、ポリ酢酸のアルカリ金属- 、アンモニウム- 及び置換されたアンモニウム塩、例えばエチレンジアミンテトラ酢酸及びニトリロトリ酢酸のこのような塩、及びポリカルボン酸、例えばメリト酸、コハク酸、オキシジコハク酸、ポリマレイン酸、ベンゼン-1,3,5- トリカルボン酸、カルボキシメチルオキシコハク酸、及びこれらの可溶性の塩が包含される。また、アクリル酸及びマレイン酸に基づくポリカルボキシレート、例えばBASF社のSokalan （ソカラン）CPグレード品も重要な有機ビルダーである。
【００４９】
シトレート、例えばクエン酸及びその可溶性塩、特にナトリウム塩に基づくビルダーが好ましいポリカルボン酸系ビルダーであり、これは、特にゼオライト及び／またはフィロケイ酸塩と一緒に、顆粒状の調合物で使用することもできる。
【００５０】
他の適当なビルダーは、米国特許第4,566,984 号に記載の3,3-ジカルボキシ-4- オキサ-1,6- ヘキサンジオエート及びこれと類似の化合物である。
【００５１】
リンに基づくビルダーが使用できる場合及び特に手洗い用の固形石鹸を配合するべき場合は、様々なアルカリ金属リン酸塩、例えばトリポリリン酸ナトリウム、ピロリン酸ナトリウム及びオルトリン酸ナトリウムを使用することができる。ホスホン酸塩系ビルダー、例えばエタン-1- ヒドロキシ-1,1- ジホスホン酸塩及び例えば米国特許第3,159,581 号、米国特許第3,213,030 号、米国特許第3,422,021 号、米国特許第3,400,148 号及び米国特許第3,422,137 号に開示されるような他の公知のホスホン酸塩も同様に使用することができる。
【００５２】
本発明のランドリー洗剤組成物及びランドリー処理用組成物は、清浄作用を高めるか、洗浄する繊維材料の処理またはケアに寄与するかまたは洗剤組成物の性能特性を変化させる慣用の助剤または他の材料を含むことができる。
【００５３】
適当な助剤には、米国特許第3,936,537 号に記載の物質、例えば、酵素、特にプロテアーゼ類、リパーゼ類、セルラーゼ類及びアミラーゼ類、マンナナーゼ類(mannanases)、酵素安定化剤、発泡促進剤、抑泡剤、変色防止剤(antitarnish) 及び／または腐食防止剤、懸濁剤、染料、フィラー、蛍光増白剤、消毒剤、アルカリ剤、ヒドロトロープ化合物、酸化防止剤、香料、溶剤、可溶化剤、再付着防止剤、分散剤、加工助剤(processing auxiliaries)、柔軟剤、帯電防止性助剤及びソイルリリース性ポリマー、例えばクラリアント社のTexCare （テックスケア）グレード品、ローディア社のRepel-O-Tex （レッペル- オー- テックス）グレード品またはBASF社のSokalan （ソカラン）SR-100が包含される。
【００５４】
色移り防止性染料固定剤を含む本発明のランドリー洗剤組成物及び清浄剤組成物は、追加的に、商業的に入手が可能な公知の色移り防止剤を含んでいてもよい。
【００５５】
これらの色移り防止剤の例は、ポリアミンN-オキシド、例えばポリ-(4-ビニルピリジンN-オキシド) 、例えばISP 社のChromabond（クロマボンド）S-400 、ポリビニルピロリドン、例えばBASF社のSokalan （ソカラン）HP50、及びN-ビニルピロリドンとN-ビニルイミダゾール及び場合によっては他のモノマーとのコポリマーである。
【００５６】
従来商業的に入手が可能な色移り防止剤の重大な欠点は、これらが、繊維製品から離れた洗浄液中に存在する染料を結合するだけでなく、繊維製品から染料を除去し、洗浄された色物布の色あせを助長してしまう恐れがあることである。本発明による色移り防止性染料固定剤を組み合わせて使用することにより、公知の色移り防止剤の色移り防止効果を高めることができる他、これらの材料により引き起こされる色物布の色あせに対抗することも可能となる。
【００５７】
本発明の洗剤組成物は、場合によっては、一種またはそれ以上の慣用の漂白剤、並びに漂白活性化剤、漂白触媒及び適当な安定化剤を含むことができる。一般的に、使用される漂白剤が、清浄剤組成物の構成分と相容性であることを確実にしなければならない。慣用の試験方法、例えば使用できる状態に調合された清浄剤組成物の漂白活性度を貯蔵時間に対して測定する方法などをこの目的に使用することができる。
【００５８】
パーオキシ酸は、遊離のパーオキシ酸か、あるいは無機過酸塩、例えば過ホウ酸ナトリウムまたは過炭酸ナトリウムと有機パーオキシ酸前駆体との組み合わせのいずれかであることができる。パーオキシ酸前駆体は、過酸塩とこれとの組み合わせ物が水中に溶解された際にパーオキシ酸に転化する。有機パーオキシ酸前駆体は、従来技術においてしばしば漂白活性化剤と称される。適当な有機パーオキシ酸の例は、米国特許第4,374,035 号、米国特許第4,681,592 号、米国特許第4,634,551 号、米国特許第4,686,063 号、米国特許第4,606,838 号及び米国特許第4,671,891 号に開示されている。
【００５９】
過ホウ酸塩漂白剤及び活性化剤を含み、洗濯物の漂白に適した組成物の例は、米国特許第4,412,934 号、米国特許第4,536,314 号、米国特許第4,681,695 号及び米国特許第4,539,130 号に記載されている。
【００６０】
本発明で使用するのに好ましいパーオキシ酸の例には、パーオキシドデカン二酸(DPDA)、パーオキシコハク酸のノニルアミド(NAPSA) 、パーオキシアジピン酸のノニルアミド（NAPAA)及びデシルジパーオキシコハク酸(DDPSA) が包含される。
【００６１】
本発明のランドリー洗剤組成物及びランドリー処理用組成物では、特に好ましくは、過酸塩、例えば過ホウ酸塩または過炭酸塩と漂白活性化剤のテトラアセチルエチレンジアミン(TAED)とに基づく漂白系が使用される。
【００６２】
有色の汚れを酸化により破壊することを目的とする上記の漂白剤の多くが、明るい色に着色された繊維製品の繊維染料にも損傷を与えることは公知である。本発明の色移り防止性染料固定剤の使用は、繊維染料に対するこれらの漂白剤の有害な影響を低減することができる。
【００６３】
該繊維固定剤は、商業的に入手が可能な家庭用繊維柔軟剤にも使用することができる。これらは、本質的に、柔軟性成分、柔軟剤、乳化剤、香料、染料及び電解質からなり、そして７未満の酸性pH、好ましくは３〜５のpHに調節される。
【００６４】
使用される柔軟性成分は、以下の種の第四アンモニウム塩である。
【００６５】
【化５】
0004315634.tif 000006
【００６６】
式中、
R1は、C8-C24 n- またはiso-アルキル、好ましくはC10-C18 n-アルキルであり、
R2は、C1-C4-アルキル、好ましくはメチルであり、
R3は、R1またはR2であり、
R4は、R2あるいはヒドロキシエチルまたはヒドロキシプロピルまたはこれらのオリゴマーであり、
X - は、臭化物イオン、塩化物イオン、ヨウ化物イオン、メト硫酸塩イオン、酢酸塩イオン、プロピオン酸塩イオン、乳酸塩イオンである。
【００６７】
これの例は、ジステアリルジメチルアンモニウムクロライド、ジ獣脂アルキルジメチルアンモニウムクロライド、ジ獣脂アルキルメチルヒドロキシプロピルアンモニウムクロライド、セチルトリメチルアンモニウムクロライド並びに対応するベンジル誘導体、例えばドデシルジメチルベンジルアンモニウムクロライドである。環状第四アンモニウム塩、例えばアルキルモルホリン誘導体も同様に使用できる。
【００６８】
更に、上記の第四アンモニウム化合物の他、以下のイミダゾリニウム化合物(1) 及びイミダゾリン誘導体(2) の使用も可能である。
【００６９】
【化６】
0004315634.tif 000007
【００７０】
式中、
R は、C8-C24 n- またはiso-アルキル、好ましくはC10-C18 n-アルキルであり、X は、臭化物イオン、塩化物イオン、ヨウ化物イオン、メト硫酸塩イオンであり、
A は、-NH-CO- 、-CO-NH- 、-O-CO-、-CO-O-である。
【００７１】
特に好ましい部類の化合物はエステルクワット(quat)である。これらは、次いで慣用のアルキル化剤またはヒドロキシアルキル化剤で四級化される、アルカノールアミンと脂肪酸との反応生成物である。好ましいアルカノールアミンは、以下の式に相当する化合物である。
【００７２】
【化７】
0004315634.tif 000008
【００７３】
式中、
R1は、C1-C3 ヒドロキシアルキル、好ましくはヒドロキシエチルであり、そしてR2、R3は、R1またはC1-C3 アルキル、好ましくはメチルである。
【００７４】
特に好ましいものは、トリエタノールアミン及びメチルジエタノールアミンである。
【００７５】
エステルクワットの更に別の特に好ましい原料は、アミノグリセロール誘導体、例えばジメチルアミノプロパンジオールである。アルキル化剤またはヒドロキシアルキル化剤は、アルキルハライド、好ましくは塩化メチル、硫酸ジメチル、エチレンオキシド及びプロピレンオキシドである。
【００７６】
エステルクワットの例は、以下の式の化合物である。
【００７７】
【化８】
0004315634.tif 000009
【００７８】
上記式において、R-C-O は、飽和または不飽和であることができるC8-C24- 脂肪酸から誘導される。これの例は、カプロン酸、カプリル酸、水素化されたもしくは水素化されていないもしくは部分的にのみ水素化された獣脂肪酸、ステアリン酸、オレイン酸、リノレン酸、ベヘン酸、パルミトステアリン酸、ミリスチン酸及びエライジン酸である。ｎは、０〜10の範囲、好ましくは０〜３の範囲、特に好ましくは０〜１の範囲である。
【００７９】
該染料固定剤と組み合わせることができる更に別の好ましい繊維柔軟剤原料は、アミド- アミン類、例えばジアルキルトリアミン及び長鎖脂肪酸に基づくアミド- アミン類、並びにこれのオキシエチレートまたは四級化されたこれの変種化合物である。これらの化合物は、以下の構造を有する。
【００８０】
【化９】
0004315634.tif 000010
式中、
R1及びR2は、互いに独立して、C8-C24 n- またはiso-アルキル、好ましくはC10-  C18 n-アルキルであり、
A は、-CO-NH- または-NH-CO- であり、
n は、１〜３、好ましくは２であり、
m は、１〜５、好ましくは２〜４である。
【００８１】
第三アミノ基を四級化することによって、基R3及び対イオンX を追加的に導入することができ、この際、基R3はC1-C4-アルキル、好ましくはメチルであることができ、そして対イオンX は、塩化物イオン、臭化物イオン、ヨウ化物イオンまたは硫酸メチルイオンであることができる。アミドアミノオキシエチレート類またはこれの四級化第二生成物は、(R) Varisoft（ヴァリソフト）510 、(R) Varisoft 512、(R) Rewopal （レウォパル)V3340及び(R) Rewoquat（リウォクアット）W 222 LMの商品名で供給されている。
【００８２】
繊維柔軟剤調合物における該染料固定剤の好ましい使用濃度は、洗剤調合物の場合について述べた濃度と同様である。
【００８３】
【実施例】
本発明のランドリー洗剤中に使用される色移り防止性染料固定剤の例は以下のものである。
例１：  ジエチレントリアミンとジシアノジアミド及びアミド硫酸との反応生成物
例２：  ジシアノジアミドと、ホルムアルデヒド及び塩化アンモニウムとの反応生成物
例３：  ジメチルアミノプロピルアミンとエピクロロヒドロンとの反応生成物
これらの色移り防止性染料固定剤を、標準洗剤と組み合わせることによって、それらの色保持効果について様々な色物繊維布で調べた。これと同時に色移り防止効果についての試験も行った。
【００８４】
この試験のために、漂白剤を加えてないかまたは漂白剤を加えた、リン酸塩不含のもしくはリン酸塩を含む試験洗剤粉６g/L を含む洗浄液に、それぞれの場合において染料固定剤300ppmを加えた。なお漂白剤を加えてない場合の組成については表１及び３を、漂白剤を加えた場合の組成については表２及び４を参照されたい。次いで、色物の綿布を、白色の綿布と一緒に洗浄した。液状洗剤を用いた洗浄実験も行った。
【００８５】
上記の被洗布を透明な水で濯ぎ次いで乾燥し、そしてdL、da、db値を測定した。これらの値は、色差デルタＥを与える。比較のために、これらの被洗布を、該染料固定剤を加えないで同じ試験洗剤で洗浄した。洗浄条件は表３に示す。合計で５サイクルの洗浄を行った。
【００８６】
最初の洗浄後で白色布に得られた値は、色移り防止効果を定量化するのに利用される。色物布で測定された値は、達成された色保持力を定量化する。染料固定剤の色保持効果を比較するために、五種の異なる色物布に得られた平均dE値を計算した。
【００８７】
【表１】
0004315634.tif 000011
【００８８】
【表２】
0004315634.tif 000012
【００８９】
【表３】
0004315634.tif 000013
【００９０】
【表４】
0004315634.tif 000014
【００９１】
【表５】
0004315634.tif 000015
【００９２】
【表６】
0004315634.tif 000016
【００９３】
表７〜11には、赤、青、緑、紫及び黒の試験布で得られた平均デルタＥ値を示す。これらの値が低ければ低いほど、本発明の洗剤中で染料固定剤により達成された色保持力は良好となる。
【００９４】
【表７】
0004315634.tif 000017
【００９５】
【表８】
0004315634.tif 000018
【００９６】
【表９】
0004315634.tif 000019
【００９７】
【表１０】
0004315634.tif 000020
【００９８】
【表１１】
0004315634.tif 000021
【００９９】
以下の例は、色物布と一緒に洗浄した白色布における、該色移り防止性染料固定剤を含む本発明の洗剤の色移り防止作用を例示するものである。
【０１００】
白色布に測定されたdE値が低ければ低いほど、色移りによる着色の程度が低いことを意味する。
【０１０１】
【表１２】
0004315634.tif 000022
【０１０２】
【表１３】
0004315634.tif 000023
【０１０３】
【表１４】
0004315634.tif 000024